(57)【要約】【課題】サイホン効果により貯水部内の各層に存する水や堆積された土砂を簡単に吸上げて排出可能にする。【解決手段】第一管路１と、第二管路２と、第三管路３を含み、前記第一管路１は、砂排出通路T内に設置され、その第一端は前記第二管路の第二端と連通し、外周面の適当な箇所には、砂排出通路を閉塞するためのフランジ１４が設けられている。該第一管路の第二端には、前記第一管路１の開閉を制御する制御弁１３が設けられている。前記第二管路２の第一端は前記第三管路３の第二端と連通し、前記第三管路の第一端には砂吸上げヘッド３３が設けられている。前記第二管路と第三管路は自在管継ぎ手で連結され、上記砂吸上げヘッド３３は任意の深さに移動することができる。【選択図】図１
0003131402.tif 000002
【実用新案登録請求の範囲】
【請求項１】
砂排出通路内に設置される第一管路と、貯水部に設置される第二管路及び第三管路を含み、前記第一管路の第一端は前記第二管路の第二端と連通しかつその外周面の適当な箇所には砂排出通路を閉塞するためのフランジが設けられ、前記第一管路の第二端には前記第一管路の開閉を制御する制御弁が設けられ、前記第二管路の第一端は前記第三管路の第二端と連通し、前記第三管路の第一端には砂吸上げヘッドが設けられていることを特徴とするダム、池用の作業深さ選択可能吸上げ装置。
【請求項２】
前記第二管路が浮上げ具に支持され、前記第三管路の砂吸上げヘッドには沈み深さを制御するワイヤが設けられていることを特徴とする請求項１に記載のダム、池用の作業深さ選択可能吸上げ装置。
【請求項３】
前記第二管路と前記第三管路は自在管継ぎ手によって連接されていることを特徴とする請求項１又は２に記載のダム、池用の作業深さ選択可能吸上げ装置。
【考案の詳細な説明】
【技術分野】
【０００１】
本考案は、ダムや池の土砂吸上げ装置に係り、特に、サイホン効果により貯水部内の水や底部に堆積された土砂を簡単に吸上げて排出可能なダム、池用の作業深さ選択可能吸上げ装置に関するものである。
【背景技術】
【０００２】
従来のダムや池は、図３に示すように、水が流入するときに、流速が減速して土砂がダムや池の底部に堆積するので、ダムや池の貯水部の水質が清濁度によって清水層Ｗ１、濁水層Ｗ２および土砂層ＳＬに分けられる。堆積される土砂の量を低減するために、ダムや池の底部に通じる砂排出通路Ｔを設けることが一般であり、砂排出通路Ｔの適当な箇所に、砂排出通路Ｔの開閉を制御するためのゲートＧを設けて制御している（例えば特許文献１参照）。砂排出通路Ｔの貯水部側の入り口は、常に同じ位置に固定されているので、その入り口の付近にある濁水や土砂だけが排出可能であり、該入り口の高さが一定であるから、清水層Ｗ１、濁水層Ｗ２や土砂層ＳＬの土砂等を選択して排出することができない。また、砂排出通路Ｔを通過するとき土砂などが該砂排出通路Ｔの壁面を侵食し易いので、砂排出通路Ｔが決壊する虞があった。
【特許文献１】特開２００３−６４６４９号公報（図５）
【考案の開示】
【考案が解決しようとする課題】
【０００３】
本考案の主な目的は、サイホン効果により清水層、濁水層、土砂層等の水や堆積された土砂を選択して簡単に吸上げ、貯水部から排出可能なダム、池用の作業深さ選択可能吸上げ装置を提供することにある。
【課題を解決するための手段】
【０００４】
上記目的を達成するためになされた本願の考案は、砂排出通路内に設置される第一管路と、貯水部に設置される第二管路及び第三管路を含み、前記第一管路の第一端は前記第二管路の第二端と連通しかつその外周面の適当な箇所には砂排出通路を閉塞するためのフランジが設けられ、前記第一管路の第二端には前記第一管路の開閉を制御する制御弁が設けられ、前記第二管路の第一端は前記第三管路の第二端と連通し、前記第三管路の第一端には砂吸上げヘッドが設けられていることを特徴とするダム、池用の作業深さ選択可能吸上げ装置であることを要旨としている。
【０００５】
本願の考案では、前記第二管路が浮上げ具に支持され、前記第三管路の砂吸上げヘッドには沈み深さを制御するワイヤが設けられていることを特徴とする請求項１に記載のダム、池用の作業深さ選択可能吸上げ装置であることを要旨としている。
【０００６】
本願の考案では、前記第二管路と前記第三管路は自在管継ぎ手によって連接されていることを特徴とする請求項１又は２に記載のダム、池用の作業深さ選択可能吸上げ装置であることを要旨としている。
【考案の効果】
【０００７】
本考案のダム、池用の作業深さ選択可能吸上げ装置は上記のように構成されているので、次のような作用効果がある。
【０００８】
（イ）砂吸上げヘッドを旋回させて作業対象層（例えば清水層Ｗ１、濁水層Ｗ２又は土砂層ＳＬ）の深さに沈ませることができるので、吸上げ作業を実施可能な対象層は自由に選択可能である。したがって、従来のように、砂排出通路Ｔの入り口の近傍だけしか吸い上げることができないというような限定はなくなる。
【０００９】
（ロ）土砂を吸上げて排出可能であると共に、清水や濁水を吸上げて排出することもできる。
【００１０】
（ハ）吸上げて排出される土砂、清水や濁水は、第一管路１と第二管路２と第三管路３を経由し、砂排出通路の内面が土砂、清水、濁水等にさらされることがないので、砂排出通路Ｔの壁面が侵食されて該砂排出通路が決壊するという虞がなくなる。
【考案を実施するための最良の形態】
【００１１】
以下、添付図面を参照して本考案の好適な実施の形態を詳細に説明する。
【００１２】
まず、図１を参照する。本考案のダム、池用の作業深さ選択可能吸上げ装置は、第一管路１と、第二管路２と、第三管路３を含み、前記第一管路１は、砂排出通路Ｔ内に設置されている。該第一管路１は複数のチューブ１０を連結して構成され、その第一端１１は前記第二管路２の第二端２２と連通し、外周面の適当な箇所には、砂排出通路Ｔの入り口を閉塞するためのフランジ１４が設けられている。また、該第一管路の第二端１２には、前記第一管路１の開閉を制御する制御弁１３が設けられている。
【００１３】
前記第二管路２は、貯水部内に設けられ、上記第一管路に連通する第二端２２から上方に立ち上がり、途中から横方向に延び、複数のチューブ２０を結合して形成され、その第一端２１が前記第三管路３の第二端３２と連通している。前記第三管路３も貯水部内に設けられ、複数のチューブ３０を結合して形成され、その第一端３１には砂吸上げヘッド３３が設けられている。前記第二管路２と前記第三管路３を、水のなかに保持するために、浮上げ具５とワイヤ４とがそれぞれ使用されている。また、前記第二管路２と前記第三管路３とを相対的に旋回可能にするため、前記第二管路２と前記第三管路３の適所には自在管継ぎ手６などの回動可能な接続手段が設けられている。
【００１４】
次に、図１と図２を参照しながら本考案の使用状態を詳細に説明する。図１では、制御弁１３が閉状態にあり、且つ砂吸上げヘッド３３が水面よりも高く保持されているので、第一管路１と第二管路２と第三管路３の内部には、清水、濁水や土砂などが全く入り込まない。そして、吸い上げ作業を開始するには、図２に示すように、まず、第一管路１と第二管路２と第三管路３の内部を清水で充満してから、上記砂吸上げヘッド３３を吸上げようとする作業対象層（例えば水層Ｗ１、濁水層Ｗ２又は土砂層ＳＬ）の深さに沈めて、前記制御弁を開状態にすると、サイホン効果により水や堆積された土砂を簡単に吸上げて排出可能になる。なお、砂吸上げヘッド３３の位置は船上の人が制御ワイヤ７で保持して制御すればよい。
【００１５】
以上のように、特定の例を参照して本考案を説明したが、それらの実施例は、説明のためだけに図示したものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１６】
【図１】本考案を示す断面図である。
【図２】本考案の使用状態を示す断面図である。
【図３】従来のダムや池から砂を排出する方法を示す断面図である。
【符号の説明】
【００１７】
１        第一管路                  １０      チューブ
１１      第一端                    １２      第二端
１３      制御弁                    １４      フランジ
２        第二管路                  ２０      チューブ
２１      第一端                    ２２      第二端
３        第三管路                  ３０      チューブ
３１      第一端                    ３２      第二端
３３      砂吸上げヘッド            ４        ワイヤ
５        浮上げ具                  ６        自在管継ぎ手
【図１】
0003131402.tif 000003
【図２】
0003131402.tif 000004
【図３】
0003131402.tif 000005